(57)【特許請求の範囲】
【請求項１】
音声信号処理手段と、該音声信号処理手段の動作制御を行う制御手段と、該制御手段の処理動作に用いられる情報が記憶されるメモリ手段を有する音響装置本体部と、
前記音響装置本体部に対して着脱可能に形成されるとともに、表示手段と、前記制御手段への操作信号出力を行うことのできる操作手段とを有するフロントユニットと、
前記音響装置本体部に対して着脱可能に形成され、前記フロントユニットが取り外されて前記音響装置本体部に着装された状態で前記制御手段との間で情報の送受信を行うことのできる本体部送受信手段と、外部機器が接続された状態でその外部機器との間で情報の送受信を行うことのできる外部機器送受信手段を有するアダプタ装置と、
から構成され、
前記フロントユニットが前記音響装置本体部に着装された状態で、前記制御手段は、前記操作手段からの操作信号入力に応じて前記音声信号処理手段の動作制御を行い、また前記表示手段に対して所要の表示動作制御を実行できるとともに、
前記アダプタ装置が、前記フロントユニットが取り外されて前記音響装置本体部に着装された状態で、前記制御手段は、前記アダプタ装置が前記外部機器送受信手段を介して外部機器から受け取ったメモリ更新情報を、前記本体部送受信手段を介して受け取り、そのメモリ更新情報に応じて前記メモリ手段に記憶されている情報内容の更新を行うことができるようにされていることを特徴とする音響システム。
【請求項２】
前記メモリ手段は不揮発性メモリであることを特徴とする請求項１に記載の音響システム。
【請求項３】
前記アダプタ装置は、前記音響装置本体部に着装された状態でさらに前記フロントユニットを着装できるように形成されるとともに、
このアダプタ装置内には、前記音響装置本体部と前記フロントユニットの間に前記アダプタ装置が介在する状態で接続された際に、前記制御手段と前記操作手段との間、及び前記制御手段と前記表示手段との間での送受信可能状態を確保する信号ラインが設けられていることを特徴とする請求項１に記載の音響システム。
【請求項４】
前記アダプタ装置が前記音響装置本体部に着装され、かつ前記アダプタ装置と外部機器が接続された状態において、前記アダプタ装置は、前記外部機器送受信手段により外部機器から受信したメモリ更新情報を、前記本体部送受信手段により前記制御手段に送信し、前記制御手段は、そのメモリ更新情報に応じて前記メモリ手段に記憶されている情報内容の更新を行うことを特徴とする請求項１に記載の音響システム。
【請求項５】
前記アダプタ装置内に更新情報記憶手段が設けられ、
前記アダプタ装置は、外部機器と接続された時点で前記外部機器送受信手段により外部機器から受信したメモリ更新情報を前記更新情報記憶手段に記憶することができるとともに、前記音響装置本体部に着装された時点において、前記更新情報記憶手段に記憶されていたメモリ更新情報を、前記本体部送受信手段により前記制御手段に送信することができるようにされていることを特徴とする請求項１に記載の音響システム。
【請求項６】
前記フロントユニット内に更新情報記憶手段が設けられるとともに、前記アダプタ装置と前記フロントユニットの間で情報の送受信が可能とされ、
前記アダプタ装置と前記フロントユニットが接続され、かつ前記アダプタ装置が外部機器と接続された時点で、前記アダプタ装置は前記外部機器送受信手段により外部機器から受信したメモリ更新情報を前記フロントユニットに送信して前記更新情報記憶手段に記憶させるとともに、
前記アダプタ装置と前記フロントユニットが前記音響装置本体部に着装された時点において、前記更新情報記憶手段に記憶されていたメモリ更新情報を、前記本体部送受信手段により前記制御手段に送信することができるようにされていることを特徴とする請求項１に記載の音響システム。
【請求項７】
音声信号処理手段、該音声信号処理手段の動作制御を行う制御手段、該制御手段の処理動作に用いられる情報が記憶されるメモリ手段を有する音響装置本体部と、この音響装置本体部に対して着脱可能に形成されるとともに、表示手段、前記制御手段への操作信号出力を行うことのできる操作手段を有するフロントユニットとから成る音響装置に対応するアダプタ装置として、
前記音響装置本体部に対して着脱可能に形成され、前記フロントユニットが取り外されて前記音響装置本体部に着装された状態で前記制御手段との間で情報の送受信を行うことのできる本体部送受信手段と、
外部機器が接続された状態でその外部機器との間で情報の送受信を行うことのできる外部機器送受信手段とが設けられ、
前記フロントユニットが取り外されて前記音響装置本体部に着装された状態で、前記外部機器送受信手段を介して外部機器から受け取ったメモリ更新情報を、前記本体部送受信手段を介して前記制御手段に送信することができるように構成されていることを特徴とするアダプタ装置。
【請求項８】
前記音響装置本体部に着装された状態でさらに前記フロントユニットを着装できるように形成されるとともに、
前記音響装置本体部と前記フロントユニットの間に介在する状態で接続された際に、前記制御手段と前記操作手段との間、及び前記制御手段と前記表示手段との間での送受信可能状態を確保する信号ラインが設けられていることを特徴とする請求項７に記載のアダプタ装置。
【請求項９】
更新情報記憶手段が設けられ、
外部機器と接続された時点で前記外部機器送受信手段により外部機器から受信したメモリ更新情報を前記更新情報記憶手段に記憶することができるとともに、前記音響装置本体部に着装された時点において、前記更新情報記憶手段に記憶されているメモリ更新情報を、前記本体部送受信手段により前記制御手段に送信することができるようにされていることを特徴とする請求項７に記載のアダプタ装置。
【請求項１０】
前記フロントユニットの間で情報の送受信が可能とされ、  前記フロントユニットが接続され、かつ外部機器と接続された或る時点で、前記外部機器送受信手段により外部機器から受信したメモリ更新情報を前記フロントユニットに送信することができるようにされていることを特徴とする請求項７に記載のアダプタ装置。
【発明の詳細な説明】
【０００１】
【発明の属する技術分野】
本発明は再生音声信号や受信音声信号を処理する音響システム及びその音響システムに接続できるアダプタ装置に関し、例えば車載用の音響システムなどとして好適なものである。
【０００２】
【従来の技術】
ＣＤ（コンパクトディスク）やＭＤ（ミニディスク）、カセットテープなどの音楽・音声信号の記録媒体に対応して再生を行なったり、ＡＭ／ＦＭその他の放送受信音声を出力できるうことのできる各種の音響システムが普及しており、例えば車載用としても各種の機器が開発されている。
【０００３】
ところで、近年の音響機器では、内部に制御用のマイクロコンピュータを有して、その制御に基づいて各種動作が実行されるようにしている。またマイクロコンピュータが処理を実行するためのプログラムや各種定数、演算係数などは、メモリに記憶されている。
このメモリとしては、いわゆるＲＯＭタイプのものの他、特に電源バックアップが不要でＲＯＭと同様の使用形態をとれるとともに、データ内容の書き換えを行うことのできる不揮発性メモリも使用される。そして、書換可能な不揮発性メモリを用いることにより、プログラムのバグの修正やバージョンアップ、プログラム追加、演算係数の変更などが可能となり、ソフトウエア的な部分の将来的な設定変更に対応できることになる。
【０００４】
【発明が解決しようとする課題】
ところで、機器内部の不揮発性メモリの内容を書き換えるには、機器にメモリ書換専用のコネクタ端子を設け、パーソナルコンピュータ等の情報機器とコネクタ接続できるようにしたり、機器内部にＣＤ−ＲＯＭドライブが搭載されている場合は、バージョンアップ用のＣＤ−ＲＯＭなどを用意して、そのＣＤ−ＲＯＭから情報を読み込み、機器内部の処理でメモリ内容を書き換えるようにすることができる。
【０００５】
ところが車載用音響機器などに関しては、このような不揮発性メモリ書換に関して問題が生ずる。
まず車載用音響機器の場合、自動車の運転席近傍のコンソール内に配されることになるが、車内に取り付けられた状態で、その音響機器は表示部や操作キーが設けられている前面パネル部分しか表出しないことになる。
従って、内部メモリの書換の利便を計ろうとするならば、そのコネクタ端子を前面パネル部分に設けなければならない。
【０００６】
しかしながら、さほど頻繁に実行される訳ではないメモリ書換のために前面パネルにコネクタ端子を設けることは、操作キーの配置や表示部のサイズなどに制限を与えることになり、限られた面積の前面パネルの使用形態としてあまり適切なものとはいえない。そしてさらに、デザイン的にも非常に不都合なものとなってしまう。
【０００７】
そこで前面パネル以外の部分、例えば本体筐体の後面や側面にコネクタ端子を配することが考えられるが、この場合、メモリ書換を実行するたびにその音響機器を自動車のコンソールから取り外さなければならず、非常に面倒な作業となってしまう。
【０００８】
また、例えば車載用ナビゲーション装置のようにＣＤ−ＲＯＭドライブを有するシステムの場合はこのような問題は生じないが、車載用の音響機器としては、そのメモリ書換のためにＣＤ−ＲＯＭドライブを設けることは回路構成や機構の煩雑化、コストアップ等が生じ、ＣＤ−ＲＯＭドライブを搭載することは現実的ではない。
【０００９】
以上のような問題点は、車載用の音響装置に限られず、例えばラックマウント形態の音響機器など、通常使用時において機器本体の前面パネル以外は隠れてしまうような形態のものでは同様に生じることとなる。
【００１０】
【課題を解決するための手段】
本発明はこのような問題点に鑑みて、前面パネル上の不都合を解消し、かつメモリの更新を容易に実行できるような音響システムを実現することを目的とする。
【００１１】
このために音響システムとして、音響装置本体部と、フロントユニットを設け、通常はこの音響装置本体部とフロントユニットが接続されて用いられるようにする。そしてさらにフロントユニットをはずした状態で音響装置本体部に接続できるアダプタ装置を設ける。
まず音響装置本体部は、音声信号処理手段と、この音声信号処理手段の動作制御を行う制御手段と、この制御手段の処理動作に用いられる情報が記憶されるメモリ手段を有するものとする。
またフロントユニットは、音響装置本体部に対して着脱可能に形成されるとともに、表示手段と、制御手段への操作信号出力を行うことのできる操作手段とを有するものとする。
さらにアダプタ装置は、前記音響装置本体部に対して着脱可能に形成され、前記フロントユニットが取り外されて音響装置本体部に着装された状態でその制御手段との間で情報の送受信を行うことのできる本体部送受信手段と、外部機器が接続された状態でその外部機器との間で情報の送受信を行うことのできる外部機器送受信手段を有するようにする。
そしてフロントユニットが音響装置本体部に着装された状態で、制御手段は、操作手段からの操作信号入力に応じて音声信号処理手段の動作制御を行い、また表示手段に対して所要の表示動作制御を実行できるとともに、アダプタ装置が、前記フロントユニットが取り外されて音響装置本体部に着装された状態で、制御手段は、アダプタ装置が外部機器送受信手段を介して外部機器から受け取ったメモリ更新情報を、本体部送受信手段を介して受け取り、そのメモリ更新情報に応じてメモリに記憶されている情報内容の更新を行うことができるようにする。
【００１２】
即ち、外部機器との接続が可能とされたアダプタ装置を装着することで、音響装置本体部内のメモリ手段（例えば不揮発性メモリ）の書換を行うことができるようにし、前面パネルとなるフロントユニットに外部機器とのコネクタ端子を設けなくともよいようにする。
【００１３】
またアダプタ装置は、音響装置本体部に着装された状態でさらにフロントユニットを着装できるように形成するとともに、アダプタ装置内には、音響装置本体部とフロントユニットの間にアダプタ装置が介在する状態で接続された際に、制御手段と操作手段との間、及び制御手段と表示手段との間での送受信可能状態を確保する信号ラインを設ける。つまり、音響装置本体部とフロントユニットの間にアダプタ装置が介在する状態で接続された場合でも、フロントユニットの機能（操作機能及び表示機能）が有効な状態となるようにする。
【００１４】
また、メモリ手段の更新の際の接続態様としては、少なくともアダプタ装置が音響装置本体部に着装され、かつアダプタ装置と外部機器が接続された状態として、アダプタ装置は、外部機器送受信手段により外部機器から受信したメモリ更新情報を、本体部送受信手段により前記制御手段に送信し、制御手段は、そのメモリ更新情報に応じてメモリ手段に記憶されている情報内容の更新を行うことができるようにする。
【００１５】
また、アダプタ装置に更新情報記憶手段が設けられるか、もしくはフロントユニット内に更新情報記憶手段が設けられるとともにアダプタ装置とフロントユニットの間で情報の送受信が可能とされる構成がとられるようにし、アダプタ装置が外部機器と接続された或る時点で外部機器から受信したメモリ更新情報を更新情報記憶手段に記憶する。そして音響装置本体部に着装された例えば他の時点において、更新情報記憶手段に記憶されていたメモリ更新情報を、制御手段に送信することができるようにする。
【００１６】
【発明の実施の形態】
以下、本発明を車載用音響機器において採用する場合の実施の形態として、第１の実施の形態から第４の実施の形態を順に説明していく。
【００１７】
＜第１の実施の形態＞
図１〜図８により第１の実施の形態としての車載用音響再生装置の例を説明する。
この車載用音響再生装置は本体部分と前面パネル部分が分離可能とされるとともに、前面パネル部分がはずされた状態でアダプタを本体部分に装着できるシステム構成とされている。
まず図１〜図６でシステム構成を説明する。
【００１８】
図１は音響再生装置１としての本体部となるリアユニット１０と、前面パネルとなるフロントユニット３０が接続された状態を示しており、これが通常の音響再生時の使用状態となる。
また図２はリアユニット１０からフロントユニット３０が取り外され、リアユニット１０とフロントユニット３０の装着機構部分が示されている斜視図である。
【００１９】
図１、図２に示されるように、この車載用の音響再生装置は、脱着可能なフロントユニット３０とリアユニット１０から構成される。そしてそのリアユニット１０の外筺形状は１ＤＩＮサイズ（正面サイズが縦５０ｍｍ，横１７８ｍｍ）とされており、図５に示すように、このようなリアユニット１０を有する音響再生装置１は、自動車内のフロントコンソールＦＣに装着される形状とされる。このように装着された状態で、図１、図２に示す電源接続コード１６は電源供給のためにカーバッテリーからの電源ラインに接続され、またオーディオ接続コード１７は、スピーカユニットに接続される。なお、オーディオ接続コードは再生音声信号を当該音響再生装置からスピーカユニットに供給するためのものであるが、２チャンネルステレオシステム、４チャンネルステレオシステムなどでは、当然ながらチャンネル数に対応した本数のオーディオ接続コードが用意され、それぞれ所定のスピーカユニットに接続されることになる。
【００２０】
フロントコンソールＦＣ内には、リアユニット１０が固定装着されるが、この状態でユーザーは前面パネルとなっているフロントユニット３０のみを、ワンタッチで任意に取り外し、また必要時に取り付けることができる。そして例えば車から離れる際にフロントユニット３０を取り外して所持するようにすることは、音響再生装置１の盗難防止措置ともなる。
【００２１】
リアユニット１０の前面側、及びフロントユニット３０の背面側には、図２に示されるように、フロントユニット３０の脱着のための機構が設けられている。リアユニット１０の前面側には可動係止爪１２が設けられ、一方フロントユニット３１の背面において可動係止爪１２と対応する位置には被係止部３２が設けられている。
またリアユニット１０の前面側には係止溝１３が設けられ、一方フロントユニット３１の背面において係止溝１３と対応することになる位置には被係止突起部３３が設けられている。
【００２２】
フロントユニット３０をリアユニット１０に装着する際には、被係止突起部３３を係止溝１３にあてがった状態で、被係止部３２を可動係止爪１２の方向に押し付ける。
詳しい機構説明は省略するが、被係止部３２を可動係止爪１２の方向に押し付けることで、被係止部３２内に可動係止爪１２が嵌入して６に係止され、図１のようにフロントユニット１がリアユニット２の正面側に装着されることになる。
【００２３】
可動係止爪１２は、リリーススイッチ１４Ａ又は１４Ｆのいづれかが押されることで、前方へ持ち上がるような動作を行う機構とされている。
このリリーススイッチ１４Ｆに対向することになるフロントユニット３０側の背面部にはリリース突起３４ｂが設けられ、このリリース突起３４ｂは、図１に示すように前面側に配されているリリースキー３４ａが押されることで、リアユニット１０側に突出する構成とされる。この突出時には、リリース突起３４ｂがリリーススイッチ１４Ｆを押圧することになる。
【００２４】
つまり図１の状態からリリースキー３４ａを押すと、フロントユニット３０の背面側からリリース突起３４ｂが押し出され、リリーススイッチ１４Ｆが押し込まれるため、内部の機構により可動係止爪１２の係止方向への付勢が解除され、被係止部３２と可動係止爪１２の係止状態が解除される。これによってユーザーは図２のように、フロントユニット３０をリアユニット１０から取り外すことができる。
【００２５】
例えばこの音響再生装置がＣＤもしくはＭＤなどのディスク再生装置とすると、図１、図２に示すようにリアユニット１０にはディスクを内部のローディング機構に挿入し、また装填されているディスクを排出するディスク挿脱孔１５が設けられているとともに、フロントユニット３０が装着された状態（通常状態）でディスク挿脱を可能とするため、フロントユニット３０においてディスク挿脱孔１５に対向する位置に、ディスク通過孔３５が設けられている。
【００２６】
図１からわかるように、フロントユニット３０の正面側には例えば液晶パネルによる表示部３７が設けられ、当該音響再生装置の動作状況や動作モード、再生中のディスクのトラックナンバ、再生時間情報、音量レベルなどの表示が実行される。
またこの音響再生装置の操作に必要な各種操作キー３６が設けられる。操作キー３６としては、例えばディスク再生に関して再生キー、停止キー、ＡＭＳ／サーチキー、一時停止キーなどが設けられ、また再生動作モードや、イコライジングなどの音響処理モード、表示モードなどに関する操作キーが用意される。
なお、以下説明上、各種操作キーをまとめて操作部２６と呼ぶ。
【００２７】
フロントユニット３０の背面側に設けられているコネクタ端子部３１と、リアユニット１０の前面側に設けられているコネクタ端子部１１とは、図１のようにフロントユニット３０がリアユニット１０に装着された状態で接続され、これにより、リアユニット１０とフロントユニット３０が電気的に接続されることになる。このコネクタ端子部１１、３１における端子としては、電源系の端子（電源電圧Ｖｃｃ及びグランドＧＮＤ）や、表示部３７での表示動作の制御信号、操作部３６による操作信号の通信のための端子が設けられる。
このような電気的接続により、図１の状態において、操作部３６を用いたユーザーの操作情報がリアユニット１０に連絡され、リアユニット１０内でディスク再生等、操作に応じた動作が実行されるとともに、その動作状態などに応じた表示内容がフロントユニット３０に連絡され、表示部３７の表示動作が行われることとなる。
【００２８】
本例では、このようなリアユニット１０、フロントユニット３０に対して装着可能なアダプタ５０が設けられる。アダプタ５０の前面側及び背面側を示す斜視図を図３（ａ）（ｂ）に示す。
まず図３（ａ）に示すようにアダプタ５０の前面側には、図２に示したリアユニット１０の前面側と概略同様の着脱機構が形成される。
即ち、アダプタ５０の前面側には、リアユニット１０の前面の可動係止爪１２及び係止溝１３と同様の配置位置及びサイズ／形状による可動係止爪５２及び係止溝５３が設けられている。ただし可動係止爪５２はリリーススイッチ５４Ｆが押された場合に、係止方向への付勢が解除され、前方に起きあがるように動作される機構となっている。なお、図３（ａ）の方向でみたときの前面左上方（すなわち、リアユニットのリリーススイッチ１４Ａに対応する位置）には、リリースキー５４ａが設けられている。
また、このアダプタ５０の前面側には、リアユニット１０の前面のコネクタ部１１と同様の配置位置、サイズ、端子形状によるコネクタ部６１が設けられている。
【００２９】
一方、図３（ｂ）に示すようにアダプタ５０の背面側には、図２に示したフロントユニット３０の背面側と概略同様の着脱機構が形成される。
即ち、アダプタ５０の背面側には、フロントユニット３０の背面の被係止部３２及び被係止突起部３３と同様の配置位置及びサイズ／形状による被係止部６２及び被係止突起部６３が設けられている。
また、フロントユニット３０の背面のコネクタ部３１と同様の配置位置、サイズ、端子形状によるコネクタ部５１が設けられている。
なお、フロントユニット３０の背面と同様にリリース突起５４ｂが設けられ、このリリース突起５４ｂは、リリースキー５４ａが押されることで背面側に押し出されるが、その配置位置は図示するようにフロントユニット３０とは異なる位置とされる。
また、このアダプタ５０には、フロントユニット３０のディスク通過孔３５と同様の位置及びサイズによるディスク通過孔５５が形成される。
【００３０】
このような着脱機構を有するアダプタ５０は、その前面側にフロントユニット３０を装着するとともに、その背面側をリアユニット１０に装着させることができ、つまり図４に示すようにアダプタ５０がリアユニット１０とフロントユニット３０に介在する状態で、接合可能とされるものである。
この状態でフロントユニット３０のコネクタ端子部３１とアダプタ５０のコネクタ端子部６１が接続され、またリアユニット１０のコネクタ端子部１１とアダプタ５０のコネクタ端子部５１が接続されるため、リアユニット１０、アダプタ５０、フロントユニット３０は互いに電気的にも接続されている状態となっている。
【００３１】
また、この図４の状態で、ディスク通過孔３５，５５を介して、リアユニット１０のディスク挿脱孔１５からディスクの挿入／脱却を行うことができる。なお、図４のようにアダプタ５０を接続するのは後述するようにリアユニット１０内のメモリ内容更新の際であり、必ずしもディスクの出し入れが必要な場合ではないため、アダプタ５０にディスク通過孔５５は設けないようにしてもよい。
【００３２】
図３、図４からわかるようにアダプタ５０には通信ケーブル９３に対応する外部コネクタ端子５６が設けられており、図４のような装着状態のときに、外部のコンピュータ機器１００など通信ケーブル９３を介して接続することができる。例えば図５のように自動車のコンソール内に取り付けられたリアユニット１０に対して図４のようにアダプタ５０及びフロントユニット３０が装着された際において、ノートブックタイプのパーソナルコンピュータなどの携帯可能なコンピュータ機器１００を車内に持ち込み、通信ケーブル９３によりコンピュータ機器１００とアダプタ５０を接続できる。
【００３３】
図４の状態からフロントユニット３０を取り外す（つまりアダプタ５０から取り外す）には、ユーザーはリアユニット１０から取り外す場合と同様にリリースキー３４ａを押す。
するとフロントユニット３０の被係止部３２とアダプタ５０の可動係止爪５２の係合状態が解け、フロントユニット３０を外すことができる。
またさらにアダプタ５０をリアユニット１０から取り外す場合は、ユーザーはアダプタ５０のリリースキー５４ａを押す。
するとリリース突起５４ｂによってリアユニット１０のリリーススイッチ１４Ａが押圧され、アダプタ５０の被係止部６２とリアユニット１０の可動係止爪１２の係合状態が解け、アダプタ５０を外すことができる。
【００３４】
なお、取り外しのためのリリース操作機構は他にも各種考えられ、例えばフロントユニット３０とアダプタ５０を接続したままリアユニット１０からはずせるようなリリース機構を形成してもよい。
また、図１〜図４に示した、リアユニット１０、フロントユニット３０、アダプタ５０の着脱機構はあくまでも一例にすぎず、これ以外に多様な構造が考えられる。本発明としては、着脱機構として図６のような構成が取られればよい。
【００３５】
即ち、図６（ａ）に示すように、リアユニット１０に機構Ｃａ、フロントユニット３０に機構Ｃｂが形成されて、この機構Ｃａと機構Ｃｂの組み合わせが、互いに着装及び取り外しが可能となる着脱機構であるとする。
このときアダプタ５０としては、図６（ｂ）に示すように、リアユニット１０に対応する着脱機構として機構Ｃｂを備え、またフロントユニット３０に対応する着脱機構として機構Ｃａを備えるようにする。
このようにすることで、リアユニット１０とフロントユニット３０が着脱自在、かつリアユニット１０とアダプタ５０が着脱自在、かつアダプタ５０とフロントユニット３０が着脱自在、かつリアユニット１０とアダプタ５０とフロントユニット３０が接続可能な音響システムが形成できる。
【００３６】
リアユニット１０とフロントユニット３０の内部構成、及び図１のようにリアユニット１０とフロントユニット３０が装着された状態での電気的接続形態を図７で説明する。
リアユニット１０内には、カーバッテリー９１から電源コード１６を介して供給される電源（直流１２Ｖ）について、電圧変換等の所定の処理を行い、装置内部的な動作電源電圧Ｖｃｃ及びグランドラインＧＮＤを形成する電源回路２３が搭載される。この電源電圧Ｖｃｃによりリアユニット１０内の各回路系が動作する。
【００３７】
上述したフロントユニット３０のディスク通過孔３５を介してディスク挿脱孔１５から装填されたディスクは、ディスクプレーヤ部２４において再生駆動されることになる。詳細な説明は省くが、ディスクプレーヤ部２４としては、ディスクローディング機構、ディスク回転駆動機構、光学ピックアップ機構、サーボ機構などディスク再生動作に必要な機構が形成されるとともに、光学ピックアップ機構によりディスクから読みとられた情報をデコードするデコード回路系が搭載され、ディスクから音声信号を再生することができる。
ディスクプレーヤ部２４で再生された音声信号はアンプ部２５に送られ、増幅処理、イコライジングなどの音響処理、音量レベル設定処理などが施されてリアユニット１０から出力される。そしてオーディオ接続コード１７によりスピーカユニット９２に送られ、スピーカユニット９２から音声として再生出力されることになる。
【００３８】
ディスクプレーヤ部２４やアンプ部２５の動作制御はマイクロコンピュータにより形成されるコントローラ２１によって行われる。
またコントローラ２１は必要に応じて不揮発性メモリ２２に対する情報の読出／書込を行う。
この不揮発性メモリ２２には、処理プログラム、処理定数、演算係数などが記憶されており（例えば工場出荷前にファクトリープリセットとして記憶される）コントローラ２１はユーザーの操作に応じて、不揮発性メモリ２２に保持されているプログラム、処理定数、演算係数などを用いて、必要な動作制御を行うことになる。
【００３９】
一方、フロントユニット３０には、前述のように操作部３６、表示部３７が設けられるが、この操作部３６、表示部３７の動作はマイクロコンピュータにより形成されるコントローラ３８により制御される。
【００４０】
リアユニット１０とフロントユニット３０が接合された状態では、コネクタ端子部１１とコネクタ端子部３１が接続された状態となるが、コネクタ端子部１１，３１内には、コントローラ２１とコントローラ３８の間での制御信号等の通信を行うための必要数の端子から成る制御信号端子部１１ａ、３１ａが形成される。
この制御信号端子部１１ａ、３１ａが接続されることでコントローラ２１とコントローラ３８との間で制御信号通信ラインＬｓが形成され、各種信号の相互通信が実行可能となる。
即ち、ユーザーが操作部３６を操作した場合の操作情報は、コントローラ３８からコントローラ２１に送信され、コントローラ２１はその操作情報に応じて、ディスクプレーヤ部２４やアンプ部２５の動作制御を行う。例えばディスク再生動作やイコライジング制御などが実行される。
またコントローラ２１は、ディスクプレーヤ部２４での再生状況に関する情報やディスクから読み出された表示用の情報、さらにはアンプ部２５の動作に関する音量レベル、イコライジング状況等の表示用の情報などについてコントローラ３８に送信し、コントローラ３８はそれらの表示用情報に応じて表示部３７の表示動作制御を行う。
【００４１】
またコネクタ端子部１１，３１内には、電源電圧端子１１ｂ、３１ｂ、グランド端子１１ｃ、３１ｃが設けられ、端子部１１ｂ、３１ｂ及び端子部１１ｃ、３１ｃが接続されることで、フロントユニット３０の各回路部の動作電源として、電源回路２３からの電源電圧Ｖｃｃが供給されることになる。
【００４２】
なお、コネクタ端子部１１内には、コントローラ２１が外部情報機器との間で通信を行うための必要数の端子からなるインターフェース端子部１１ｄが形成されるが、フロントユニット３０のコネクタ端子部３１内にはこれに対応する端子部は形成されない。ただしコネクタの形態として、コネクタ端子部３１内においてインターフェース端子部１１ｄの各端子と接続される端子は形成されるが、それらはダミー端子とされる。
【００４３】
次にアダプタ５０の内部構成、及び図４のようにリアユニット１０、アダプタ５０、フロントユニット３０が装着された状態での電気的接続形態を図８で説明する。
アダプタ５０の内部には、外部機器として外部コネクタ端子５６に接続されるコンピュータ機器１００との間で通信を行うためのインターフェース部５８が搭載される。
またアダプタ５０のコネクタ端子部５１としては、制御信号端子部５１ａ、電源電圧端子５１ｂ、グランド端子５１ｃ、インターフェース端子部５１ｄが設けられる。またコネクタ端子部６１としては、制御信号端子部６１ａ、電源電圧端子６１ｂ、グランド端子６１ｃが設けられる。
制御信号端子部５１ａ、６１ａの端子数は、リアユニット１０及びフロントユニット３０における制御信号端子部１１ａ、３１ａの端子数と同じとなる。
そして制御信号端子部５１ａと制御信号端子部６１ａとの間では、各対応端子間が接続されている。
またインターフェース端子部５１ｄの端子数は、リアユニット１０におけるインターフェース端子部１１ｄの端子数と同数となる。
【００４４】
図４のようにリアユニット１０、アダプタ５０、フロントユニット３０が接続されることで、図８に示すように、リアユニット１０とアダプタ５０の間でコネクタ端子部１１とコネクタ端子部５１が接続される。即ち制御信号端子部１１ａと制御信号端子部５１ａ、電源電圧端子１１ｂと電源電圧端子５１ｂ、グランド端子１１ｃとグランド端子５１ｃ、インターフェース端子部１１ｄとインターフェース端子５１ｄが接続される。さらにフロントユニット３０とアダプタ５０の間でコネクタ端子部３１とコネクタ端子部６１が接続される。即ち制御信号端子部３１ａと制御信号端子部６１ａ、電源電圧端子３１ｂと電源電圧端子６１ｂ、グランド端子３１ｃとグランド端子６１ｃが接続される。
【００４５】
これにより、コントローラ２１とコントローラ３８との間の制御信号通信ラインＬｓは維持され、操作情報や表示制御信号の通信は図１の接続の場合と同様に実行可能とされる。
また電源電圧Ｖｃｃは電源回路２３からフロントユニット３０内の各回路部にも供給される。さらに、アダプタ５０内では、電源電圧端子５１ｂ、６１ｂの間の電源ライン、及びグランド端子５１ｃ、６１ｃの間のグランドラインが取り出されて、インターフェース部５８に対する電源電圧供給が行われる。
【００４６】
インターフェース部５８は、コネクタ端子部５１におけるインターフェース端子部５１ｄとリアユニット１０のインターフェース端子部１１ｄが接続されることで、コントローラ２１との間でインターフェースラインＬｉｏが形成されて通信可能とされている。
従って、外部コネクタ端子５６に通信ケーブル９３を介して外部のコンピュータ機器１００が接続されることで、インターフェース部５８を介したコントローラ２１と外部コンピュータ機器１００との間のデータ通信が可能となる。
なお、この外部コンピュータ機器１００とコントローラ２１の通信方式は２線式や、クロックラインを有する３線式のシリアル通信方式、パラレル通信方式などのような形態でもよく、採用される通信方式によって外部コネクタ端子５６、インターフェース端子部１１ｄ、５１ｄの形状や端子数、及びこれらの間の信号ライン数、インターフェース部５８の処理方式などが設定されるものである。
【００４７】
以上のような接続機構及び回路構成を持つ本例の音響再生システムでは、次のような動作が可能となる。
まず図１、図７に示した接続形態により、通常のディスク再生動作が可能となることは上述したとおりであるが、図４、図８に示す接続形態とされている間も、操作部３６からの操作に応じてディスク再生が行われたり、表示部３７の表示動作が行われるという通常のディスク再生動作は可能である。
【００４８】
そして図４、図８に示す接続形態が取られ、さらに図４のようにコンピュータ機器１００と接続されることにより、コンピュータ機器１００からコントローラ２１に対して不揮発性メモリ２２のデータ内容を書き換えるための情報（以下、メモリ更新情報という）を送信することができる。
即ち、機器のバージョンアップ、演算係数の変更、プログラムのバグの修正などの目的のために不揮発性メモリ２２の記憶内容を更新する必要性が生じたときに、ユーザーはアダプタ５０を用いて音響再生装置１を図４、図８のように接続し、さらに自動車内に持ち込んだラップトップタイプなどのパーソナルコンピュータなどのコンピュータ機器１００とアダプタ５０を接続する。そしてコンピュータ機器１００からメモリ更新動作を起動し、メモリ更新情報をコントローラ２１に送信する。コントローラ２１は、送信されてきたメモリ更新情報に応じて不揮発性メモリの記憶内容を書き換える。
このような動作によってバージョンアップ等のためのメモリ更新が手軽に実行できるようになる。
【００４９】
なお、例えばメモリ更新のための動作プログラムをコントローラ２１側で持っているようにし、操作部３６からの所定の操作によりそのメモリ更新プログラムが起動されるようにしてもよい。この場合の所定の操作とは、例えば再生キーと停止キーを同時に押すなどのような、通常ではあり得ない組み合わせの操作キーの操作とすれば、特に専用の操作キーを設けなくてもよいことになる。
この場合、ユーザーはメーカー等から提供されるバージョンアップ等のための情報を記憶したＣＤ−ＲＯＭもしくはフロッピーディスクをコンピュータ機器１０のディスクドライブに装填しておく。そして、コントローラ２１はメモリ更新プログラムに基づいてコンピュータ機器１００に対してＣＤ−ＲＯＭもしくはフロッピーディスクからのメモリ更新情報の読出及び送信のリクエストを送信する。それに応じてコンピュータ機器１００からはメモリ更新情報が送信されてくるが、コントローラ２１はそのメモリ更新情報に応じて不揮発性メモリ２２の更新を実行するという動作方式となる。
【００５０】
このように特にＣＤ−ＲＯＭドライブ（もしくはフロッピーディスクドライブ）を持たない音響再生機器であっても、それらのドライブを追加装備することなく、容易にバージョンアップ等のためのメモリ更新が可能となる。そして、メモリ更新を実行するために外部のコンピュータ機器１００と接続する手段として、前面パネル（フロントユニット３０の前面）に外部機器用のコネクタ端子を配さないでよく、外観デザイン的に支障がないとともに、前面パネルにおける表示部や操作部３６のレイアウト、サイズ、操作キー数などの設定のために、前面パネルの面積をフルに使用できることになる。
またリアユニット１０側に外部機器用のコネクタ端子を設けるものではないので、当然ながら、外部のコンピュータ機器１００と接続する際に自動車のフロントコンソールＦＣからリアユニット１０を取り外すといった面倒もない。
さらに、フロントユニット３０の表示機能、操作機能を使用できるため、メモリ更新時のユーザーとの対話的な操作により、多様な更新処理が可能となる。
【００５１】
＜第２の実施の形態＞
次に、図９から図１１により、第２の実施の形態としての音響再生システムを説明する。
この例では、上記第１の実施の形態の例のアダプタ５０とは内部構成が異なるアダプタ５０Ａを用いるものである。なお、上記第１の実施の形態例と同一の機能部分は同一符号を付し、説明を省略する。
【００５２】
図１０にアダプタ５０Ａの内部構成を示す。
このアダプタ５０Ａには、インターフェース部５８及び上記第１の実施の形態の例のアダプタ５０と同様のコネクタ端子部５１，６１、及び外部コネクタ端子５６の構造に加えて、ＣＰＵ６５（マイクロコンピュータ）及び不揮発性メモリ６６が搭載されていることを特徴としている。
【００５３】
第１の実施の形態の例では、アダプタ５０をリアユニット１０とっＦ３０の間に接続し、例えば携帯可能なパーソナルコンピュータを自動車内に持ち込んで不揮発性メモリ２２の更新を行うようにしたが、本例の場合は、例えば自動車内に運び入れることができないデスクトップ型のパーソナルコンピュータや、ワークステーションなどの大型の情報機器を用いて不揮発性メモリ２２の更新を実行できるようにしている。
【００５４】
即ち、まず図９及び図１０に示すようにアダプタ５０Ａのみを例えばデスクトップ型のコンピュータ機器１００などの設置してある場所に持ち込み、通信ケーブル９３によりアダプタ５０Ａとコンピュータ機器１００を接続する。
この状態でコンピュータ機器１００からメモリ更新動作プログラムを起動し、メモリ更新情報をアダプタ５０Ａに送信する。アダプタ５０Ａ側ではＣＰＵ６５が、送信されてきたメモリ更新情報を不揮発性メモリ６６に記憶する。
【００５５】
なお、コンピュータ機器１００からのメモリ更新情報読出のための動作プログラムをＣＰＵ６５側で持っているようにし、何らかの起動操作手段をアダプタ５０Ａに設けて、その操作によりそのメモリ更新プログラムが起動され、コンピュータ機器１００にメモリ更新情報の読出及び送信のリクエストを送信するようにしてもよい。そしてそれに応じてコンピュータ機器１００がＣＤ−ＲＯＭの再生等を行ってメモリ更新情報を送信してくるが、ＣＰＵ６５は送信されてきたメモリ更新情報を不揮発性メモリ６６に記憶することになる。
【００５６】
ところでこの第２の実施の形態の例の場合、特に図示していないが図９の接続状態にあるときにアダプタ５０Ａに動作電源電圧が供給される構成をとる必要がある。例えば通信ケーブル９３を介してコンピュータ機器１００側から電源供給がされるようにしたり、もしくはアダプタ５０Ａが商用電源電圧の供給をうけるための電源ケーブルを備えたり（着脱可能な電源アダプターでもよい）、又はアダプタ５０Ａ内部に乾電池、充電池などのバッテリーを内蔵してもよい。
また、もしバッテリーを内蔵した場合は、不揮発性メモリ６６に代えてＤ−ＲＡＭ、Ｓ−ＲＡＭなどを用いることもできる。
【００５７】
図９、図１０に示した接続状態での動作により、アダプタ５０Ａが不揮発性メモリ６６にメモリ更新情報を取り込んだら、続いてアダプタ５０Ａを自動車内に持ち込み、図４の場合のように、リアユニット１０、アダプタ５０Ａ、フロントユニット３０を接続する（この場合はパーソナルコンピュータ等のコンピュータ機器１００を接続する必要はない）。電気的な接続状態は図１１のようになる。
【００５８】
本例の場合は、アダプタ５０Ａの不揮発性メモリ６６に保持されているメモリ更新情報の読出のための動作プログラムをコントローラ２１が備えている。そしてそのプログラムは操作部３６の所定の操作により起動されるようにしている。例えば操作部３６にメモリ更新動作起動のための専用キーを設けるか、もしくは通常は行われない特殊操作（例えば再生キーと停止キーの同時押し）を設定し、その操作に応じて起動されるようにする。
【００５９】
そのプログラムが起動されることによりコントローラ２１はＣＰＵ６５に対してメモリ更新情報を送信すべきリクエストを出し、それに応じて不揮発性メモリ６６から読み出され、インターフェースラインＬｉｏを介して送信されてくるメモリ更新情報により、不揮発性メモリ２２の書換を実行することになる。
【００６０】
このような動作による第２の実施の形態の場合、第１の実施の形態の例と同様の効果が得られることに加えて、特に外部のコンピュータ機器１００を自動車内に持ち込む必要はなくなり、より手軽にバージョンアップ等のためのメモリ更新が実行できるようになる。もちろん携帯不可能な大型のコンピュータ機器も利用できる。
【００６１】
＜第３の実施の形態＞
次に、図１２から図１４により、第３の実施の形態としての音響再生システムを説明する。
この例は、上記第２の実施の形態の例と同様に、外部のコンピュータ機器を自動車内に持ち込まなくてもよい用にするものである。なお、上記第１又は第２の実施の形態例と同一の機能部分は同一符号を付し、説明を省略する。
【００６２】
この例では、図１３に示すようにアダプタ５０Ｂとしては、第１の実施の形態の例におけるアダプタ５０と同様の構成に加えて、コネクタ端子部６１側にインターフェース端子部６１ｄを有するようにし、インターフェース部５８はインターフェース端子部６１ｄを介してフロントユニット３０側と通信できるような構成をとる。
【００６３】
またこの例におけるフロントユニット３０Ｂとしては、コントローラ３８、操作部３６、表示部３７に加えて、不揮発性メモリ３９を有するとともに、コネクタ端子部３１においてアダプタ５０Ｂのインターフェース端子部６１ｄに対応する端子としてインターフェース端子部３１ｄが形成される。
またこの場合、コントローラ３８は、操作部３６、表示部３７に関する制御機能及びリアユニット１０との間の通信機能の他に、不揮発性メモリ３９の読出／書込機能、インターフェース３１ｄ、６１ｄを介してインターフェース部５８との通信機能を備えることになる。さらに、インターフェース部５８を介して外部コンピュータ機器１００との通信を行い、メモリ更新情報の供給を受けるための動作プログラムもコントローラ３８が保持している。そのプログラムは操作部３６の特定の操作により起動される。
【００６４】
このような構成によるアダプタ５０Ｂとフロントユニット３０について図１３に示すように接続する。そして図１２のように、このアダプタ５０Ｂ及びフロントユニット３０を例えばデスクトップ型のコンピュータ機器１００などの設置してある場所に持ち込み、通信ケーブル９３によりアダプタ５０Ｂの外部コネクタ端子５６とコンピュータ機器１００を接続する。
この状態で操作部３６の所定の操作（専用キーもしくは特殊操作）によりメモリ更新情報読込プログラムが起動されると、コントローラ３８はコンピュータ機器１００にＣＤ−ＲＯＭ等からのメモリ更新情報の読出及び送信のリクエストを送信する。そしてそれに応じてコンピュータ機器１００がＣＤ−ＲＯＭの再生等を行ってメモリ更新情報を送信してくるが、コントローラ３８は送信されてきたメモリ更新情報を不揮発性メモリ３９に記憶することになる。
【００６５】
なお、この第３の実施の形態の例の場合も、特に図示していないが図１３の接続状態にあるときにアダプタ５０Ｂ及びフロントユニット３０Ｂに動作電源電圧が供給される構成をとる必要がある。
例えば通信ケーブル９３を介してコンピュータ機器１００側から電源供給がされ、その電源供給ラインがアダプタ５０Ｂとフロントユニット３０Ｂ間の電源ライン及びグランドラインと接続されるようにする。もしくはアダプタ５０Ｂかフロントユニット３０Ｂの一方が、商用電源電圧の供給をうけるための電源ケーブル（もしくは着脱可能な電源アダプター）を備えたり、又はアダプタ５０Ｂもしくはフロントユニット３０Ｂのいずれかの内部に乾電池、充電池などのバッテリーを内蔵し、これらの電源ケーブルもしくはバッテリーからの電源電圧が、電源ライン及びグランドラインによりアダプタ５０Ｂとフロントユニット３０Ｂの両方に供給されるようにしてもよい。
もしバッテリーを内蔵した場合は、不揮発性メモリ３９に代えてＤ−ＲＡＭ、Ｓ−ＲＡＭなどを用いることもできる。
【００６６】
図１２、図１３に示した接続状態での動作により、不揮発性メモリ３９にメモリ更新情報が取り込まれたら、続いてそのアダプタ５０Ｂとフロントユニット３０Ｂを自動車内に持ち込み、図４の場合のように、リアユニット１０、アダプタ５０Ｂ、フロントユニット３０を接続する（ただしこの場合はパーソナルコンピュータ等のコンピュータ機器１００を接続する必要はない）。電気的な接続状態は図１４のようになる。
【００６７】
本例の場合は、フロントユニット３０Ｂの不揮発性メモリ３９に保持されているメモリ更新情報の読出のための動作プログラムをコントローラ２１が備えている。そしてそのプログラムは操作部３６の所定の操作（専用キー操作又は特殊操作：上記コンピュータ機器１００からのメモリ更新情報送信要求時と異なる操作としても、また同一の操作としてもよい）を設定し、その操作に応じて起動されるようにする。
【００６８】
そのプログラムが起動されることによりコントローラ２１はインターフェースラインＬｉｏによりコントローラ３８に対してメモリ更新情報を送信すべきリクエストを出し、それに応じて不揮発性メモリ３９から読み出され、インターフェースラインＬｉｏを介して送信されてくるメモリ更新情報により、不揮発性メモリ２２の書換を実行することになる。
【００６９】
このような動作による第３の実施の形態の場合、上述した第１の実施の形態及び第２の実施の形態と同様の効果が得られる。
なお、このような形態の場合、不揮発性メモリ３９に記憶したメモリ更新情報により不揮発性メモリ２２を更新する際に、アダプタ５０Ｂを用いないようにすることも考えられる。つまり、図１２のように接続して不揮発性メモリ３９にメモり更新情報を取り込んだ後、自動車内では図１のような通常の接続形態とすることで不揮発性メモリ３９に記憶したメモリ更新情報をリアユニット１０側に送信し、不揮発性メモリ２２を更新できるようにする方式である。
【００７０】
＜第４の実施の形態＞
次に、図１５から図１８により、第４の実施の形態としての音響再生システムを説明する。
この例は、上記各例とは異なり、不揮発性メモリ２２の更新動作の課程においてフロントユニット３０は使用しなくてもよいようにしたものである。そして、特にこの例におけるアダプタ５０Ｃは、フロントユニット３０に対する接続機構はとられない。
【００７１】
この例では、リアユニット１０及びフロントユニット３０は、第１の実施の形態の例とほぼ同様の構成がとられる。そして図１５（ａ）に示すように通常の使用時にはフロントユニット３０がっＲ１０に装着される。また使用しないときや後述するアダプタ５０Ｃと付け替える場合などには、図１５（ｂ）に示すようにフロントユニット３０を取り外すことができる。
本例での図１６に示すアダプタ５０Ｃは、図１５（ｂ）の状態のリアユニット１０に対して装着可能とされるが、アダプタ５０Ｃを取り外すためのリリース機構としては、フロントユニット３０を取り外す場合と共通のリリーススイッチ１４が用いられればよい。つまり、アダプタ５０Ｃにおいては、フロントユニット３０と同一の位置にリリースキー５４ａ及びリリース突起５４ｂが設けられればよい。
【００７２】
アダプタ５０Ｃの形状としては、フロントユニット３０と接続されないことを考えれば、当然ながらアダプタ５０Ｃ前面側には接続機構は不要となり、例えば図１６（ａ）に示すように前面位置に外部コンピュータ機器１００との接続のための外部コネクタ端子５６を配置することができる。
背面側の形状としては、リアユニット１０に対する着脱機構が設けられるものであり、図１６（ｂ）に示すように被係止部６２、被係止突起部６３が形成され、また電気的接続のためのコネクタ端子部６１が設けられる。これらは図３（ｂ）に示したものと同様のものとなる。
そして図１７に示すように、フロントユニット３０を外した状態でアダプタ５０ＣをっＲ１０の前面に装着することができる。
【００７３】
アダプタ５０Ｃの内部構成は図１８に示すようになる。即ち、第１の実施の形態の例におけるアダプタ５０と概略同様に、コネクタ端子部５１、インターフェース部５８、外部コネクタ端子５６を有するが、フロントユニット３０側に対するコネクタ端子部は設けられず、また、コネクタ端子部５１には、フロントユニット３０とリアユニット１０の制御信号通信を確保する制御信号端子部は設けられない。
【００７４】
この例では、不揮発性メモリ２２の更新処理時には図１７、図１８に示すようにリアユニット１０にアダプタ５０Ｃを装着する。そして図１７のようにアダプタ５０Ｃの外部コネクタ端子５６に、通信ケーブル９３を用いてコンピュータ機器１００（例えばラップトップ型パーソナルコンピュータ）を接続する。
この状態でコンピュータ機器１００からメモリ更新動作プログラムを起動し、メモリ更新情報をアダプタ５０Ｃを介してコントローラ２１に送信する。
コントローラ２１は、送信されてきたメモリ更新情報に応じて不揮発性メモリ２２の記憶内容を書き換える。
このような動作によってバージョンアップ等のためのメモリ更新が実行できるようになる。
【００７５】
なお、メモリ更新動作プログラムをコントローラ２１側で持っているようにするとともに、アダプタ５０Ｃに何らかの起動操作部を設け、その操作によりメモリ更新プログラムが起動されるようにしてもよい。
メモリ更新プログラムが起動されると、コントローラ２１はメモリ更新プログラムに基づいてコンピュータ機器１００に対してＣＤ−ＲＯＭ等からのメモリ更新情報の読出及び送信のリクエストを送信する。それに応じてコンピュータ機器１００からはメモリ更新情報が送信されてくるが、コントローラ２１はそのメモリ更新情報に応じて不揮発性メモリ２２の更新を実行する
【００７６】
このような第４の実施の形態の例でも、第１の実施の形態の例と同様の効果を得ることができる。
なお、第２の実施の形態のようにアダプタ５０Ｃ内にＣＰＵ及び不揮発性メモリを有するようにし、アダプタ５０Ｃ単独でコンピュータ機器１００と接続してメモり更新情報を取り込み、その後アダプタ５０Ｃのみをリアユニット１０に接続してメモり更新情報をコントローラ２１に送信し、不揮発性メモリ２２を更新させるようにすることもできる。
【００７７】
以上、各種の実施の形態の例を車載用のディスク再生装置に基づいて説明してきたが、本発明の音響機器としては、ＣＤプレーヤ、ＭＤプレーヤなどの各種音響ディスク再生装置、カセットテーププレーヤ、ＤＡＴプレーヤなどのテープ再生装置、ラジオ等の放送受信装置など、各種の音響機器として実現できる。
また、当然ながら車載用の機器に限られるものでもない。
【００７８】
【発明の効果】
以上説明したように本発明は、外部の情報機器と接続できるアダプタ装置を音響装置本体部（リアユニット）に装着することで、音響装置本体部内のメモリ手段の更新を行うことができ、また、そのアダプタ装置の接続時には、音響装置本体部とフロントユニットの間にアダプタ装置が取り付けられるようにすることで、アダプタ装置使用時にフロントユニットの機能（操作機能及び表示機能）も生かすことができる。
そして、アダプタ装置を用いてメモり更新を実行できるようにすることで、フロントユニット及び音響装置本体部のいづれにも外部機器との通信を行う機構を設けなくてもよいことになる。これにより、フロントユニットの前面パネルのデザインについて不利な点がなくなるとともに、操作キーや表示部分の配置設定において設計自由度が増すという利点が得られ、またメモリ更新時に音響装置本体部を設置個所から取り外すといった面倒もなくなり、メモリ更新を手軽に実行できることになる。
もちろん音響装置内にＣＤ−ＲＯＭドライブ等の機構を追加する必要もない。
【００７９】
また、アダプタ装置に更新情報記憶手段が設けられるか、もしくはフロントユニット内に更新情報記憶手段が設けられるとともにアダプタ装置とフロントユニットの間で情報の送受信が可能とされる構成がとられるようにし、アダプタ装置が外部機器と接続された或る時点で外部機器から受信したメモリ更新情報を更新情報記憶手段に記憶できるようにするとともに、音響装置本体部に着装された他の時点において、更新情報記憶手段に記憶されていたメモリ更新情報を、制御手段に送信することができるようにすることで、音響装置本体部の配置された場所に持ち込むことのできない外部機器からメモリ更新情報を得ることも可能となり、多様な使用形態によりメモリ更新を行うことが可能となる。
【図面の簡単な説明】
【図１】本発明の第１の実施の形態のフロントユニットとリアユニットの装着状態の斜視図である。
【図２】第１の実施の形態においてリアユニットからフロントユニットを外した状態の斜視図である。
【図３】第１の実施の形態のアダプタの斜視図である。
【図４】第１の実施の形態のリアユニット、アダプタ、フロントユニットが装着された状態の斜視図である。
【図５】音響装置の自動車内での配置状態の説明図である。
【図６】実施の形態の音響システムの着脱機構の説明図である。
【図７】第１の実施の形態のフロントユニットとリアユニットの接続時の構成のブロック図である。
【図８】第１の実施の形態のフロントユニット、アダプタ、リアユニット、外部機器の接続時の構成のブロック図である。
【図９】第２の実施の形態のアダプタと外部機器の接続時の斜視図である。
【図１０】第２の実施の形態のアダプタと外部機器の接続時の構成のブロック図である。
【図１１】第２の実施の形態のフロントユニット、アダプタ、リアユニットの接続時の構成のブロック図である。
【図１２】第３の実施の形態のアダプタ、フロントユニット、外部機器の接続時の斜視図である。
【図１３】第３の実施の形態のアダプタ、フロントユニット、外部機器の接続時の構成のブロック図である。
【図１４】第３の実施の形態のフロントユニット、アダプタ、リアユニットの接続時の構成のブロック図である。
【図１５】第４の実施の形態のフロントユニットとリアユニットの斜視図である。
【図１６】第４の実施の形態のアダプタの斜視図である。
【図１７】第４の実施の形態のアダプタ、リアユニット、外部機器の接続時の斜視図である。
【図１８】第４の実施の形態のアダプタ、リアユニット、外部機器の接続時の構成のブロック図である。
【符号の説明】
１  音響再生装置、１０  リアユニット、１１，３１，５１，６１  コネクタ端子部、１１ａ，３１ａ，５１ａ、６１ａ  制御信号端子部、１１ｂ，３１ｂ，５１ｂ，６１ｂ  電源端子、１１ｃ，３１ｃ，５１ｃ，６１ｃ  グランド端子、１１ｄ，３１ｄ，５１ｄ，６１ｄ  インターフェース端子部、２１，３８  コントローラ、２２，３９，６６  不揮発性メモリ、２３  電源回路、２４  ディスクプレーヤ部、２５  アンプ部、３０  フロントユニット、３６  操作部、３７表示部、５０，５０Ａ，５０Ｂ，５０Ｃ  アダプタ、５８  インターフェース部、６５  ＣＰＵ、９３  通信ケーブル、１００  コンピュータ機器
【図１】
0003767072.tif 000002
【図２】
0003767072.tif 000003
【図３】
0003767072.tif 000004
【図４】
0003767072.tif 000005
【図５】
0003767072.tif 000006
【図６】
0003767072.tif 000007
【図７】
0003767072.tif 000008
【図８】
0003767072.tif 000009
【図９】
0003767072.tif 000010
【図１０】
0003767072.tif 000011
【図１１】
0003767072.tif 000012
【図１２】
0003767072.tif 000013
【図１３】
0003767072.tif 000014
【図１４】
0003767072.tif 000015
【図１５】
0003767072.tif 000016
【図１６】
0003767072.tif 000017
【図１７】
0003767072.tif 000018
【図１８】
0003767072.tif 000019